(57)【要約】【課題】浴槽水上に浮かせ回転させて良好に浴槽内を清掃できるとともに、水のない洗い場等の床面も回転させて良好に清掃できる浴室内掃除機を提供する。【解決手段】水密性を有するケース体２内には密閉空間Ｓが形成され、この密閉空間Ｓ内に駆動部５と電源６が収納され、駆動部５の回転軸５ａがケース体の内壁２ａに接合されているとともに、ケース体２の外周表面には複数の赤道平行凸部３と複数の経線状凸部４が突出されて、ケース体２の外周表面が、この赤道平行凸部３と経線状凸部４で凹凸形状に形成されている。【選択図】図２
2010104899.tif 000002
【特許請求の範囲】
【請求項１】
水密性を有するケース体内には密閉された空間が形成され、該空間内に駆動部と電源が収納されて該駆動部の回転軸が前記ケース体内壁に接合されているとともに、前記ケース体の外周表面には掃除具が設けられて掃除具を含む全体が略球状に形成されていることを特徴とする浴室内掃除機。
【請求項２】
前記ケース体の外周表面には、前記掃除具により凹凸形状が形成されていることを特徴とする請求項１に記載の浴室内掃除機。
【請求項３】
前記回転軸の軸心方向に延びる前記ケース体の直径線の中心に対し直交する平面からずらした位置に重心が配置されていることを特徴とする請求項１または請求項２に記載の浴室内掃除機。
【請求項４】
前記重心が配置された側の掃除具が、ケース体外周表面で回転軸の軸心方向に経線状に延びる凸部を形成していることを特徴とする請求項３に記載の浴室内掃除機。
【発明の詳細な説明】
【技術分野】
【０００１】
本発明は、浴槽内や洗い場を良好に掃除できる浴室内掃除機に関するものである。
【背景技術】
【０００２】
従来、特許文献１に開示されているような浴槽洗浄装置が存在する。
この浴槽洗浄装置は、球状に形成されたケースの内部にモーターと錘が設けられ、ケースの外表面にはブラシが設けられ、さらに複数の羽根部材がケースの外周に形成されたものであり、浴槽内の水に浮かせた状態で回転させて浴槽内壁面を洗浄できるように構成されている。
【特許文献１】特開２００５−２５３７７９号公報
【発明の開示】
【発明が解決しようとする課題】
【０００３】
上記特許文献１に開示されている浴槽洗浄装置では、浴槽内の水に浮かんだ状態で推進力を得るために外周に複数の羽根部材が突起状に設けられているため、浴槽内壁の洗浄には適しているが、排水後の浴槽底面や水のない浴室の洗い場などでは、外周に羽根部材が存在するため良好に回転することができず、浴室の洗い場などの床面の洗浄は行うことができないものであった。
【課題を解決するための手段】
【０００４】
本発明は、水がない浴室内の場所でも良好に掃除できる浴室内掃除機の提供を目的とし、この目的の少なくとも一部を達成するために以下の手段を採った。
本発明の浴室内掃除機は、水密性を有するケース体内には密閉された空間が形成され、該空間内に駆動部と電源が収納されて該駆動部の回転軸が前記ケース体内壁に接合されているとともに、前記ケース体の外周表面には掃除具が設けられて掃除具を含む全体が略球状に形成されていることを要旨とする。
【発明の効果】
【０００５】
浴槽内に水がある場合には水に浮いた状態で回転し、浴槽の内壁を良好に掃除することができ、また、水がない状態の浴槽および洗い場の床面などでは、浴室内掃除機が自ら転がり、表面の掃除具で良好に掃除することができる。
【０００６】
また、本発明の浴室内掃除機において、前記ケース体の外周表面には、前記掃除具により凹凸形状が形成されているものとすることもできる。
こうすれば、ケース体の外周表面の凹凸形状により水上での推進力が向上し、ケース体の回転で水を掻きながら自転し、良好に浴槽内壁面の全周を公転移動して掃除することができる。
【０００７】
また、本発明の浴室内掃除機において、前記回転軸の軸心方向に延びる前記ケース体の直径線の中心に対し直交する平面からずらした位置に重心が配置されているものとすることもできる。
こうすれば、重心がずれているため、水上では進行方向に片寄りが生じ、浴槽の内壁に良好に押し付けられて、浴槽の内壁に沿って回転しながら動くことができ、浴槽の内壁を効率良く掃除できるものとなる。
【０００８】
また、重心がすれた構造の浴室内掃除機において、前記重心が配置された側の掃除具が、ケース体外周表面で回転軸の軸心方向に経線状に延びる凸部を形成しているものとすることもできる。
こうすれば、ケース体を地球に見立てた場合の地球の経線に沿って経線状に延びる凸部が、ケース体の回転により水を掻いて良好な推進力が得られ、推進力により浴槽の内壁面に沿って回転しながら浴槽内壁面を良好に掃除できるものとなる。
【発明を実施するための最良の形態】
【０００９】
次に、本発明を実施するための最良の形態を実施例を用いて説明する。
図１は、浴室内掃除機の一例を示す外観構成図であり、図２は、浴室内掃除機の内部構造を示す縦断面構成図である。
この浴室内掃除機１は、水密性を有する素材で形成された球状のケース体２の外周表面に、赤道平行凸部３と経線状凸部４が凸状に形成されている。
【００１０】
赤道平行凸部３は、ケース体２を地球に見立てた場合の地球の赤道に平行となる凸部であり、ケース体２の外周表面に間隔をおいて複数突出形成されている。また、経線状凸部４は、ケース体２を地球に見立てた場合の地球の経線に沿って延びる凸部であり、ケース体２の外周表面に複数突出形成されている。
この赤道平行凸部３および経線状凸部４は、本例ではスポンジで形成されており、この複数の赤道平行凸部３と複数の経線状凸部４でケース体２の外周表面に凹凸形状が形成されて、赤道平行凸部３と経線状凸部４で掃除具が構成されている。
【００１１】
ケース体２の内部には密閉された密閉空間Ｓが形成され、密閉空間Ｓ内には、モーターで構成された駆動部５が設けられており、駆動部５により回転される回転軸５ａが駆動部５から図示左側へ突出され、この回転軸５ａは、ケース体２の中心を通る図２における水平な直径線１１に沿って配設され、回転軸５ａの先端はケース体２の内壁２ａに接合されている。また、ケース体２内には、駆動部５の図示下方に錘９が設けられている。また、駆動部５に電力を供給する電源６が設けられており、この電源６を充電するための二次コイル７と充電回路８が設けられている。
【００１２】
なお、浴室内掃除機１の重心１３の位置は、前述した回転軸５ａの軸心方向に延びる直径線１１の下方であって、直径線１１の中心に対し直交する平面、即ちケース体２を地球に見立てた場合の赤道の位置にある直交平面１２よりも、図２において図示右側にずれた位置に配置されている。
この重心１３が配置された側のケース体２の外周表面に、回転軸５ａの軸心方向に経線状に延びる前記経線状凸部４が形成されている。
【００１３】
このような構造の浴室内掃除機１の複数の経線状凸部４の先端を、右端側の赤道平行凸部３にほぼ当接状とさせて構成することもでき、そのような浴室内掃除機１の詳細な外観形状を、図５の側面図で、図６の右側から視た斜視構成図で、また図７の左側から視た斜視構成図で示す。
【００１４】
このような構造の浴室内掃除機１は、例えばケース体２の外側に押圧可能にスイッチ部１０を設けておき、このスイッチ部１０をＯＮすることにより電源６から駆動部５に電力が供給されて、駆動部５の回転軸５ａが回転する。
図３の平面図で示すような浴槽１５或いは図４の斜視図で示すような浴槽１５内に水を入れて、この浴槽水Ｗ上に浴室内掃除機１を浮かせた状態で回転軸５ａが回転されると、錘９の慣性が強く働き、回転軸５ａがケース体２の内壁２ａに接合されているため、ケース体２が浴槽水Ｗ上に浮かんだ状態で回転する。
【００１５】
ケース体２が回転することにより、その外周に形成されている複数の経線状凸部４が水を掻いて推進力が得られ、浴室内掃除機１は回転しながら推進されることとなる。この場合、重心１３の位置が、前述した如く直交平面１２からずらした位置に配置されているため、図２における直径線１１の図示右端側が左端側よりも下方となり、直径線１１は図示右側へ向かって下傾した状態となり、これにより図３の平面図で示すように、浴室内掃除機１は水上では進行方向に片寄りが生じ、右方向へ動き、浴槽内壁１５ａに押し付けられる力が作用して、浴室内掃除機１は浴槽内壁１５ａに押し付けられ、自転しながらその推進力により浴槽内壁１５ａに沿って浴槽内壁１５ａの全周を公転移動することとなる。従って、浴槽内壁１５ａはスポンジで形成された複数の経線状凸部４の回転により汚れが除去されてゆき、良好に清掃されるものである。
【００１６】
このように浴室内掃除機１は、重心１３の位置のずれによる浴槽内壁１５ａへの押し付け力が得られて、経線状凸部４による回転に伴う推進力により回転しながら浴槽１５を良好に掃除してゆくことができる。
【００１７】
なお、図８，図９および図１０，図１１で示すものは、浴室内掃除機１の形状を変更したものである。
図８および図９では、ケース体２を地球に見立てた場合の赤道上に配置された１本の赤道凸部３ａを有し、この１本の赤道凸部３ａに対し左右側へ向かって面対称形状に、ケース体２を地球に見立てた場合の経線を通る複数の経線状凸部４が連続状に配置されたものである。
即ち、赤道凸部３ａの図示右側には複数の右経線状凸部４ａが、赤道凸部３ａの左側には複数の左経線状凸部４ｂが形成されて、この左右の経線状凸部４ａ，４ｂおよび赤道凸部３ａによりケース体２の表面に凹凸形状が形成されている。
【００１８】
また、図１０および図１１で示す変更例では、右側の複数の右経線状凸部４ａと左側の複数の左経線状凸部４ｂとを、１本の赤道凸部３ａに沿って位相をずらして配置したものである。
この図８，図９のような形状または図１０，図１１のような形状に形成された浴室内掃除機１においては、左右側に複数の経線状凸部４ａ，４ｂが形成されているため、浴槽水Ｗ上でケース体２が回転した時に、強い推進力が得られて、浴槽内壁１５ａに沿って浴槽内壁１５ａの全周を公転移動できるものとなる。
【００１９】
なお、本例の浴室内掃除機１においては、浴槽１５の浴槽水Ｗ上に浮かばせて浴槽１５内を清掃できるとともに、浴槽水がない状態の浴槽１５の底面上に置くことにより、赤道平行凸部３或いは赤道凸部３ａが浴槽１５の底面に当接し、浴槽１５の底面上をスムーズに回転しながら移動し、回転により浴槽１５の底面を良好に清掃できるものであり、その他、浴室の洗い場上に浴室内掃除機１を置いて、回転させながら移動させて良好に洗い場を清掃できるものである。
なお、水がない洗い場等の床面を清掃する場合には、赤道平行凸部３の数が多いほど、より床面との接触面積が増えて、良好な清掃力が得られるものである。
【００２０】
このような浴室内掃除機１が汚れた場合には、図１２に示すような収納容器１６内に入れて自己洗浄することができるものである。
即ち、収納容器１６は、側壁１６ａと底壁１６ｂで有底状の平面視四角形或いは円形或いは楕円形の容器として形成されており、底壁１６ｂの下部内には一次コイル１７が配置されている。また、この収納容器１６の側壁１６ａの上部部位には給水弁１８が配置されて、給水弁１８を開けて収納容器１６内部に給水して水を溜めることができるものである。また、底壁１６ｂ側には排水弁１９が配置されており、排水弁１９を開けて収納容器１６内部の水を排水できるように構成されている。
【００２１】
給水弁１８を開けて収納容器１６内に水を入れた状態で、収納容器１６内に浴室内掃除機１を入れ、浴室内掃除機１を収納容器１６内の水上で自転させることで、良好に赤道平行凸部３および経線状凸部４の汚れを落として自己洗浄することができ、洗浄が容易なものとなる。
また、洗浄が終った後に、排水弁１９を開けて収納容器１６内の水を抜くことにより、図１３に示すように、浴室内掃除機１を収納容器１６の底壁１６ｂに当接させることができ、この状態で、収納容器１６に設けられている一次コイル１７に高周波電圧を印加することにより、一次コイル１７は高周波磁界を発生し、浴室内掃除機１の内部に設けられている二次コイル７と高周波磁界が鎖交する。これにより二次コイル７に高周波電圧が誘起され、この高周波電圧を充電回路８によって整流，平滑，電圧制御して電源６を良好に充電することができる。
【００２２】
このように収納容器１６は浴室内掃除機１の充電器としても機能するものであり、無接点で浴室内掃除機１内の電源６を充電することができるため、浴室内掃除機１には電池の交換のための蓋や接続ジャック等を設ける必要がなく、浴室内掃除機１のケース体２内部は完全な密閉構造としておくことができるものであり、信頼性の高い浴室内掃除機１となる。
【００２３】
なお、図１３の状態で給水弁１８を開けて収納容器１６内に水を入れると、浮力により浴室内掃除機１は収納容器１６の底壁１６ｂから離れ、これにより高周波磁界から二次コイル７が離れることで自動的に充電が終了する。この時に、自動で駆動部５が駆動に切り替わるように構成しておけば、図１２のように、収納容器１６内で浴室内掃除機１が自ら回転して汚れを除去することができるものである。
【００２４】
なお、本例の浴室内掃除機１では、赤道平行凸部３と複数の経線状凸部４でケース体２の外周表面に凹凸形状を形成させたものを例示しているが、ケース体２の外周表面にゴルフボールのように凹凸を形成させて構成しても良く、ケース体２の外周表面のこれらの凹凸により、水上で良好な推進力が得られる。
【００２５】
なお、赤道平行凸部３の本数あるいは経線状凸部４の本数は本例のものに限定されるものではなく、また、赤道平行凸部３あるいは経線状凸部４の形状も本例のものに限定されるものではなく、水上での良好な推進力が得られるとともに、床面上をスムーズに回転できる構造のものであれば良い。
また、赤道平行凸部３および経線状凸部４は、本例ではスポンジで構成したが、スポンジに代えて清掃可能なブラシ或いは布等で構成しても良い。
【図面の簡単な説明】
【００２６】
【図１】浴室内掃除機の側面概略構成図である。
【図２】浴室内掃除機の内部構造図である。
【図３】浴槽内壁を浴室内掃除機で清掃している状態の平面構成図である。
【図４】楕円形状の浴槽内壁を浴室内掃除機で清掃している状態の斜視構成図である。
【図５】形状を僅かに変更した浴室内掃除機の側面外観構成図である。
【図６】図５の浴室内掃除機を右側から視た斜視構成図である。
【図７】図５の浴室内掃除機を左側から視た斜視構成図である。
【図８】さらに異なる外観形状の浴室内掃除機の斜視構成図である。
【図９】図８の浴室内掃除機の側面外観構成図である。
【図１０】さらに外観を変更させた浴室内掃除機の斜視構成図である。
【図１１】図１０の浴室内掃除機の側面外観構成図である。
【図１２】収納容器内に入れて浴室内掃除機を自己洗浄している状態の説明図である。
【図１３】浴室内掃除機を収納容器内で充電している状態の説明図である。
【符号の説明】
【００２７】
１  浴室内掃除機
２  ケース体
２ａ  内壁
３  赤道平行凸部
３ａ  赤道凸部
４  経線状凸部４
４ａ  右経線状凸部
４ｂ  左経線状凸部
５  駆動部
５ａ  回転軸
６  電源
７  二次コイル
８  充電回路
９  錘
１１  直径線
１２  直交平面（赤道線）
１３  重心
１５  浴槽
１５ａ  浴槽内壁
１６  収納容器
１６ａ  側壁
１６ｂ  底壁
１７  一次コイル
１８  給水弁
１９  排水弁
Ｓ  密閉空間
【図１】
2010104899.tif 000003
【図２】
2010104899.tif 000004
【図３】
2010104899.tif 000005
【図４】
2010104899.tif 000006
【図５】
2010104899.tif 000007
【図６】
2010104899.tif 000008
【図７】
2010104899.tif 000009
【図８】
2010104899.tif 000010
【図９】
2010104899.tif 000011
【図１０】
2010104899.tif 000012
【図１１】
2010104899.tif 000013
【図１２】
2010104899.tif 000014
【図１３】
2010104899.tif 000015